(57)【要約】【課題】  本発明は、コードで補強されたゴムシートを、必要なときに必要な量だけ、しかも高品質の製品を簡便に生産できる手段を提供することにあり、コードの素材やコードの配列角度などを種々変化させて、タイヤ用ベルト材、ボディプライ材等をコンパクトな装置で多品種少量生産を可能にすることにある。【解決手段】  本発明は、コードで補強されたゴムシートの製造方法および製造装置において、円筒の表面が軸方向に連続的に移動する円筒コンベアと、その円筒コンベアの外側を円筒の軸を中心に回転する回転アームとを具備し、その回転アームに導かれてきたゴム被覆コードを円筒コンベアの表面に互いに接触させながら連続的に螺旋巻きすることを特徴とする。【選択図】  図１
2005111962.tif 000002
【特許請求の範囲】
【請求項１】
円筒の表面が軸方向に連続的に移動する円筒コンベアと、該円筒コンベアの外側を円筒の軸を中心に回転する回転アームとを備え、該回転アームに導かれてきたゴム被覆コードを該円筒コンベアの表面で互いに接触させながら連続的に螺旋巻きされるように構成されていることを特徴とする、コードで補強されたゴムシートの製造装置。
【請求項２】
請求項１の前記円筒コンベアが円筒の軸を中心に回転するように構成されており、前記円筒コンベアにゴム被覆コードが巻き付けられることによって形成されている円筒状ゴムシートを螺旋状に切り出す切断具をさらに有することにより、シートの長手方向に対して所定の角度αにコードが配列されたゴムシートの連続体とするように構成されていることを特徴とする、コードで補強されたゴムシートの製造装置。
【請求項３】
請求項１の前記回転アームが多段に設置されていることを特徴とする、コードで補強されたゴムシートの製造装置。
【請求項４】
請求項１において、前記ゴム被覆コードが前記円筒コンベアに巻き付くことによって形成されている円筒状ゴムシートを押圧する押圧具をさらに有することを特徴とする、コードで補強されたゴムシートの製造装置。
【請求項５】
リールから繰り出されたゴムに対する接着処理が施されているコードがゴム押出機から押し出されたゴムを被覆するゴム被覆ダイを通過することによりゴムを被覆するゴム被覆装置を設け、ゴム被覆コードを連続的に作成しつつ請求項１の前記回転アームに導かれるように構成されていることを特徴とする、コードで補強されたゴムシートの製造装置。
【請求項６】
請求項５における前記ゴム被覆装置と前記回転アームとの間に、コードの張力調整装置を設けたことを特徴とする、コードで補強されたゴムシートの製造装置。
【請求項７】
請求項１の前記回転アームに導かれるコードが撚が与えられながら繰り出される撚糸機または合糸機をさらに有すること特徴とする、コードで補強されたゴムシートの製造装置。
【請求項８】
請求項１における前記コードがスチールコードであって、前記回転アームの回転によって発生する撚を打ち消すように解撚しつつリールから繰り出される解撚機を有することを特徴とする、コードで補強されたゴムシートの製造装置。
【請求項９】
円筒の表面が軸方向に連続的に移動する円筒コンベアの表面に、該円筒コンベアの外側を円筒の軸を中心に回転する回転アームに導かれてきたゴム被覆コードを、互いに接触させながら連続的に螺旋巻きしていくことを特徴とする、コードで補強されたゴムシートの製造方法。
【請求項１０】
請求項９の前記円筒コンベアが、円筒の軸を中心に回転していることにより、前記円筒コンベアにゴム被覆コードが巻き付くことによって形成されている円筒状ゴムシートを、切断具で螺旋状に切り出すことにより、シートの長手方向に対して所定の角度αにコードが配列されたゴムシートを製造することを特徴とする、コードで補強されたゴムシートの製造方法。
【請求項１１】
請求項９の前記回転アームを多段に有することにより、円筒コンベアにゴム被覆コードを多段に巻き付けていくことを特徴とする、コードで補強されたゴムシートの製造方法。
【発明の詳細な説明】
【技術分野】
【０００１】  本発明は、コードで補強されたゴムシートの製造装置およびその製造方法に関し、特に円筒コンベア表面に回転アームを用いて連続的にゴム被覆コードを巻き付けることによるコードで補強されたゴムシートの製造に関し、コード素材やコードの配列角度などを種々に変化させて、タイヤ用のベルト材、ボディプライ材等を、コンパクトな装置で多品種少量生産できるコードで補強されたゴムシートの製造装置および製造方法に関する。
【背景技術】
【０００２】  従来、タイヤ等に使用されるコードで補強されたゴムシートの製造は、大量、集中生産方式で生産されており、１０００本から２０００本のコードを繰り出して、大型カレンダー装置でゴム被覆して大巻反を製造し、それから必要な幅、角度に裁断して、必要なベルト材やボディプライ材などを生産していた。しかし、近年、種々の高機能繊維がタイヤ用に開発され、ベルト材やボディプライ材などの繊維仕様、繊維配列角度、ゴム仕様なども種々のものが要求されるようになってきており、それらを上記の大量生産方式で製造するには、時間がかかり、無駄が多く、効率的でなかった。【０００３】  また、特公昭３５−１８６０２号に見られるように、大口径のローラにゴム被覆コードからなるリボンを螺旋状に連続巻回しつつ、リボンの側縁を互いに接合して筒状の巻付体を形成し、この巻付体を裁断して、大きな面積のコードで補強されたゴムシートを形成し、このシートから所定形状で所定方向にコードが配列したベルト材やボディプライ材等を切り出すことができるが、裁断残が多くムダである。この場合、小口径のローラにゴム被覆コードを巻き付けて筒状体を作成して、切り出し、何枚も貼り合わせて所定形状のプライ材を作成すれば、ムダは少なくなるが、シートつなぎ合わせに手間と時間がかかり、さらに品質的にもつなぎ合わせ部の不均一が残る。【０００４】  また、特開２００１−１４５９６１号、特開２００２−１２７２７０に見られるように、コード補強ゴム被覆リボンを所定径のマンドレルに巻き付け、所定角度で切り出すことで、ベルト材、ボディプライ材等を製造する方式があるが、材料のコード角度や打ち込みを変更するごとに、新たなマンドレルが必要となっていた。【０００５】
【特許文献１】特公昭３５−１８６０２号公報（第１−２頁、第１図）。
【特許文献２】特開２００１−１４５９６１号公報（第１−３頁、第１、１２図）。
【特許文献３】特開２００２−１２７２７０号公報（１−３頁、第１図）。
【発明の開示】
【発明が解決しようとする課題】
【０００６】  本発明は、上記従来技術の欠点を除くためになされたものであって、その目的とするところは、近年、自動車におけるトヨタシステ厶に代表されるように、必要なときに必要な量だけ、しかも高品質の製品を簡便に生産できる方式を、タイヤ等のゴムシートの製造において可能にすることにある。また他の目的は、いろいろなコードの種類やゴムの種類など、多品種の製品を簡便な手段で、必要な時に必要な量だけ供給することが出来るようにすることにある。また他の目的は、コードの配列角度を簡便に変化させて、コードの配列角度を異にする連続的なコードで補強されたゴムシートを製造することを可能にすることにある。また他の目的は、破棄されて使用しないシート材の無駄を少なくすることにある。また他の目的は、リボンをドラム上での重ね合わせする際の周上の不均一を無くし、乱れの少ない高品質なコードで補強されたゴムシートを提供することにある。また他の目的は、上記ゴムシートを何枚も重ね合わせて、ベルト材やボディプライ材を作成するような時間や手間の無駄を省くことにある。さらに他の目的は、安価な小型装置で簡便に製造できる装置を提供することにある。
【課題を解決するための手段】
【０００７】  本発明は上記の目的を達成するためになされたものであって、その製造装置としての特徴は、下記の通りである。本発明は、円筒の表面が軸方向に連続的に移動する円筒コンベアと、その円筒コンベアの外側を円筒の軸を中心に回転する回転アームとを備え、その回転アームに導かれてきたゴム被覆コードをその円筒コンベアの表面で互いに接触させながら連続的に螺旋巻きされるように構成されている、コードで補強されたゴムシートの製造装置に関する。また本発明は、上記の円筒コンベアが円筒の軸を中心に回転するように構成されており、上記円筒コンベアにゴム被覆コードが巻き付けられることによって形成されている円筒状ゴムシートを螺旋状に切り出す切断具をさらに有することにより、シートの長手方向に対して所定の角度αにコードが配列されたゴムシートの連続体とするように構成されている、コードで補強されたゴムシートの製造装置に関する。また本発明は、上記の回転アームが多段に設置されている、コードで補強されたゴムシートの製造装置に関する。また本発明は、上記ゴム被覆コードが上記円筒コンベアに巻き付くことによって形成されている円筒状ゴムシートを押圧する押圧具をさらに有する、コードで補強されたゴムシートの製造装置に関する。また本発明は、リールから繰り出されたゴムに対する接着処理が施されているコードがゴ厶押出機から押し出されたゴムを被覆するゴム被覆ダイを通過することによりゴムを被覆するゴム被覆装置を設け、ゴム被覆コードを連続的に作成しつつ上記回転アー厶に導かれるように構成されている、コードで補強されたゴムシートの製造装置に関する。また本発明は、上記ゴム被覆装置と上記回転アームとの間に、コードの張力調整装置を設けた、コードで補強されたゴムシートの製造装置に関する。また本発明は、上記回転アームに導かれるコードが撚が与えられながら繰り出される撚糸機または合糸機をさらに有する、コードで補強されたゴムシートの製造装置に関する。さらに本発明は、上記コードがスチールコードであって、上記回転アームの回転によって発生する撚を打ち消すように解撚しつつリールから繰り出される解撚機を有する、コードで補強されたゴムシートの製造装置に関する。【０００８】  本発明は上記の目的を達成するためになされたものであって、その製造方法としての特徴は、下記の通りである。本発明は、円筒の表面が軸方向に連続的に移動する円筒コンベアの表面に、その円筒コンベアの外側を円筒の軸を中心に回転する回転アームに導かれてきたゴム被覆コードを、互いに接触させながら連続的に螺旋巻きしていく、コードで補強されたゴムシートの製造方法に関する。また本発明は、上記の円筒コンベアが、円筒の軸を中心に回転していることにより、上記円筒コンベアにゴム被覆コードが巻き付くことによって形成されている円筒状ゴムシートを、切断具で螺旋状に切り出すことにより、シートの長手方向に対して所定の角度αにコードが配列されたゴムシートを製造する、コードで補強されたゴムシートの製造方法に関する。さらに本発明は、上記回転アームを多段に有することにより、円筒コンベアにゴム被覆コードを多段に巻き付けていく、コードで補強されたゴムシートの製造方法に関す���。【０００９】  本発明は、コードで補強されたゴムシートの製造に関するものである。本発明におけるコードは、繊維で構成された糸やモノフィラメントや金属細線等のコードやその単体をも含む。また、それらのコードの形態としては、長繊維からなるマルチフィラメント、短繊維からなる紡績糸、芯になる糸に他の糸を巻き付けたカバードヤーンやピッコ諸撚糸と呼ばれる糸であってもよい。また、意匠撚糸と呼ばれる糸も使用することもできる。これらのコードは、既に接着処理がされているコードを使用するが、ディッピング装置と連結して、ディッピング処理を施しつつ、ゴム被覆手段に導くこともできる。コードの材質としては、ナイロンやポリエステル、ポリビニルアルコール、アラミド繊維、全芳香族ポリエステル繊維、ＰＢＯ（パラフェニレンベンゾビスオキサゾール）繊維等の有機繊維や、ガラス繊維、アルミナ繊維、炭素繊維等の無機繊維、またスチールやアモルファス金属等の金属繊維も使用することができる。【００１０】  本発明に使用されるコードは、ゴムへの接着性を向上させる接着処理が施されている。コードへの接着処理としては、有機繊維に対するレゾルシンホルマリンラテックスとゴムエマルジョンを付着させ、水分を乾燥した後、レゾルシンホルマリンをベーキングしてゴムへの接着性をアップさせる方式が代表的である。また、スチールコードでは、ニッケルめっき、銅と亜鉛を電着させるブラスメッキ、亜鉛主体の亜鉛めっき等が施される。さらに金属繊維では、コバルトやモリブデン、シランカップリング剤等を使用した接着処理等の手段も使用することができる。これらの接着処理は、コードの種類、ゴムの種類、求められる接着力等より適宜選択され、ここに例示したものに限られない。【００１１】  また、本発明で使用されるゴムとしては、天然ゴムや合成ゴム等の加硫されて使用されるゴムばかりでなく、ポリウレタンやＳＢＳ（スチレン・ブタジエン・スチレンゴム）のような熱可塑性エラストマーと呼ばれる加硫を必要としないゴムも使用することができる。これらのコードやゴムは、目的とするゴムシートの用途によって適宜選択される。ゴム被覆コードは、上記コードに、ここに記載したゴムが被覆されたものをいう。ゴ厶の被覆は、ゴム押出機より押し出されたゴムを、ダイ中でコードに被覆する手段を用いるが、カレンダーで処理されたゴムを付着させる方式や、接着剤ラテックスをコードに被覆してゴム溶媒を乾燥させる方式なども用いることができる。【００１２】  本発明は、円筒コンベア表面に、回転アームを用いて連続的にゴム被覆コードを巻き付けることによるコードで補強されたゴムシートの製造手段に関する。円筒コンベアは、円柱状の形態が、円形の平面からなる部分と、曲面からなる側面からなり、その側面部分がコンベアを形成しており、この円筒状側面（以下、円筒コンベア表面という）に巻き付いたゴム被服コードを、円柱の軸方向に連続的に移動させるように構成されている。なお、円筒は、円形の底面を有するが、その円は厳密な円を意味するものではなく、楕円や、多角形であってもよく、多角形の場合は、円柱というより多角柱であり、多角柱の側面の一つ一つの長方形をなす部分が一つ一つ独立したコンベアからな��ように構成することができる。【００１３】  本発明は、この円筒コンベア表面に、回転アームを用いて、回転アームに導かれてきたゴム被覆コードを巻き付けていくことにより、円筒コンベア上に円筒状にゴム被覆コードが巻かれた円筒シートを形成させる手段に関する。回転アームは、円筒コンベアの外側を、回転アームが円筒の軸を中心に回転しており、この回転により、導かれてきたゴム被覆コードを円筒コンベア表面に螺旋状に巻き付けていくように構成されている。円筒コンベア表面に巻き付けられたゴム被覆コードは、ゴム被覆コードが互いに接触しながら連続的に巻き付けられる。回転アームに導かれてくるゴム被覆コードは、通常１本であるが、必要に応じて、複数本を供給することもできる。また、回転アームは、通常１個のアームから構成されているが、回転するコード繰出機を設けることによって、複数の回転アームを有するようにすることもできる。また、円筒コンベアの前後からゴム被覆コードを導くことにより、多段（装置が複雑になりすぎるので、通常２段）の回転アームを設けることもできる。これらの複数の回転アームや多段の回転アームによって、螺旋状に円筒コンベアに巻かれたゴム被覆コードは、それらの複数のコードが全体として一層のシートなるように、お互いが接触しながら螺旋巻きされるように構成される。【００１４】  本発明における上記円筒コンベアは、さらに円筒の軸を中心に回転していることが好ましい。本発明は、補強用ゴムシートにおいて、所定の角度αにコードが配列されているゴムシートの製造を目的としており、この角度αを自由に変更するためには、本発明の円筒コンベアが、円筒の軸を中心に、円筒コンベアそのものを回転させ、この回転速度を、コンベア速度との関連でコントロールすることで、角度αを自由に設定することができる。なお、切断具を回転することで、角度αを調整する方式も考えられるが、装置が複雑になり、また、刃物が回転するので、安全面でも好ましくない。【００１５】  本発明のコードで補強されたゴムシートの製造装置は、ゴム被覆コードが円筒コンベアに巻き付くことによって形成されている円筒状ゴムシートを押圧する押圧具を有することが望ましい。押圧具は、円筒状ゴムシートのゴム被覆コードの配列を均一にし、ゴム被覆コード相互の接合をより確実なものにし、ゴムシートの表面を滑らかにする。押圧はローラ等を直接円筒コンベアに押し当てることで行うこともできる。【００１６】  本発明のコードで補強されたゴムシートの製造装置は、ゴム被覆コードが円筒コンベアに巻き付くことによって形成されている円筒状ゴムシートを、切断具によって螺旋状に切り出す手段を有することが好ましい。円筒状ゴムシートは、そのままで円筒状のシートとして、所定の長さに切断されて製品とすることができる。しかし、切断具でこの円筒状ゴムシートを切り開き、コンベア速度と円筒コンベアそのものの回転速度の関係で、螺旋状に切り出すことにより、シートの長手方向に対して所定の角度αにコードが配列されたゴムシートを連続して取り出すことができる。切断場所は、コンベア上で行うこともできるが、コンベアを傷つけることのないよう、コンベアを出たところで切断することが好ましい。コンベ��を出た所で、上記の押圧具と一体的になった切断具を設けることにより、装置がコンパクトになる。切断具としては、カミソリ刃、回転刃と受ローラ、上下刃による押し切り、シェアーカッター、レーザービーム、高圧水など種々のタイプのものが使用される。【００１７】  螺旋状に切り開かれて、コードが配列されたゴムシートにおけるシートの長手方向に対する角度αは、円筒コンベアの円筒径、円筒コンベアの回転数、回転アームの回転数、コンベア速度、円筒コンベアが１回転する間にコンベアの進む距離などによって定められる。本発明におけるコードで補強されたゴムシートの幅は、円筒コンベアの径によって定められる。所定の角度αのコードの配列は、例えばラジアルタイヤのボディプライ用シートでは、８０〜９０度、タイヤ用ベルト材では、１０度から３５度、好ましくは１５度から３０度の範囲から選ばれる。ここで、ボディプライ用シートとは、ラジアルタイヤ、バイアスタイヤ、ベルテッドバイアスタイヤ等の骨格となるカーカスシートであり、ベルト用シートとは、ラジアルタイヤ、ベルテッドバイアスタイヤ等において、強くて伸びにくいコードを、ほほ周方向に密に配列させて、いわゆる「たが効果」を有する。他に、タイヤに使用されるコードで補強されたゴムシートには、ブレーカやキャッププライと呼ばれるものもあり、本発明のコードで補強されたゴムシートに含まれる。【００１８】  本発明におけるゴム被覆コードは、リール（またはボビン）から繰り出されたゴムに対する接着処理が施されているコードが、ゴム押出機から押し出されたゴムを被覆するゴム被覆ダイを通過することによって、ゴム被覆コードを連続的に作成しつつ本発明の回転アームに導かれることが好ましい。このように円筒コンベアを有する装置に、ゴム被覆装置が連結していることにより、別工程でゴムを被覆する場合のコードの繰出、巻取、保管という煩雑で場所をとる工程が不要であるばかりでなく、コードの繰り出し時や巻芯におけるムダもすくなくなる。また、コードが巻き取られることがないので、コードの汚れも少なく、また、薬品がブルームすることもなく、フレッシュなゴム被覆コードを使用できるので、品質的にも優れたものとなる。【００１９】  円筒コンベアと回転アームを有する装置にゴム被覆装置を連結した場合、回転アームに導かれるコードの張力を一定にする張力調整装置を設けることが好ましい。ゴム押出機は、ゴムの押出量が一定になるまでに時間を要するので、その間のゴム被覆コードをムダにすることなく、安定して本発明の装置を運転するためには、コードの供給速度を変えたり、また、コードで補強されたゴムシート形成装置における小さいトラブルにおいては、押出機を止めることなく対処することができる。張力調整は、ダンサーローラを設けて、ダンサーローラの位置を感知する手段や、張力そのものを電気的に感知するなどの手段で、回転アームの回転数を変えたり、またはゴム被覆装置に供給されるコードの速度を変えることによって行われる。【００２０】  また、本発明におけるリールから繰り出されたゴムに対する接着処理が施されているコードが、撚糸機または合糸機により撚が与えられながら繰り出されて、本発明の回転アームに導かれるよ��にすることもできる。コードに加撚する手段としては、通常撚糸機が使用される。撚糸機は、コードに撚をかけるもので、複数本のコードを合糸しながら撚をかけるものも含まれる。また、短繊維の精紡機として使用されるリング精紡機やミユール精紡機などの原理も使用できる。撚糸機は、リング撚糸機を基本とするが、そのタイプにより、アップツイスター、ダブルツイスター、フライヤー式撚糸機、イタリー式撚糸機、カバリング式撚糸機等が使用でき、また八丁式撚糸機等の古いタイプも使用できる。本発明での撚糸機は、コードが繰り出されつつ撚糸されるものが好ましく、コードの繰出機と撚糸機を兼ね併せたものが最も好ましい。【００２１】  さらに、本発明におけるリールから繰り出されたゴムに対する接着処理が施されているコードがスチールコードであって、そのスチールコードがリールより繰り出される際、解撚機を経ることにより、回転アームによる回転により発生する撚と帳消しにすることができる。スチールコードは、回転アームの回転で発生するトーションを含んだ状態でゴムシートを作成すると、切り出してベルト材等に使用する際に、トーションが原因で、シートがカールして、作業性が悪くなる。かかる場合、上記の撚糸機や合糸機を逆に回転することで、解撚機として使用し、目的を達成することができる。
【発明の効果】
【００２２】  本発明は、従来の大量生産方式における非効率や材料や時間のムダを除くことができ、必要なときに必要な量だけ、しかも高品質の製品を簡便に生産できる方式を、タイヤ等のゴムシートの製造において可能にした。また、いろいろなコードの種類やゴムの種類など、多品種の製品を簡便な手段で、必要な時に必要な量だけ供給することが出来た。また、コードの配列角度を簡便に変化させて、コードの配列角度を異にする連続的なコードで補強されたゴムシートを製造することを可能にした。また、破棄されて使用しないシート材の無駄を少なくすることができた。また、今までのプライ用シートを何枚も重ね合わせるような時間や手間の無駄を本発明では省くことができた。さらに本発明は、安価な小型装置で簡便に製造できる装置を提供することができた。
【発明を実施するための最良の形態】
【００２３】  以下本発明を、図面で示す実施例に基づいて説明する。図１は、本発明のコードで補強されたゴムシートの製造装置を示す側面図である。円筒コンベア１は、循環するコンベアベルト２ａ、２ｂ等によって円周状に囲まれて構成されている。ギア３により駆動を受けて、シャフト４が回転し、そのシャフト４に固定されているフランジ５からベベルギア６ａ、６ｂにより駆動が伝達されて、循環ベルト２ａ、２ｂが循環し、その循環ベルトの循環により、円筒コンベア１の表面が軸方向に移動し、円筒の表面が軸方向に移動する円筒コンベア１となる。この円筒コンベア１は、ギア７による駆動を受けて、円筒コンベア１自体も、円筒軸（図のシャフト４中に示されている一点鎖線）を中心に回転し、それによって、後述するコードの配列角度αが調整させる。回転アーム８は、ギア９からの駆動を受けて回転し、リールから導かれてきたゴム被覆コード１０は、回転アーム８によって、円筒コンベア１の外側を回転しつつ、糸巻付ガイド１１に案内され、回転アーム８の回転により円筒コンベア１の表面に巻き付けられていく。円筒コンベア１の表面に巻き付けられたゴム被覆コード１０は、円筒コンベア１の表面の移動により、互いに接触させながら連続的に螺旋巻きされて、ゴム被覆コード群からなる円筒状ゴムシート１２を構成する。円筒状ゴムシート１２は、押圧具１３により押圧されて均一化され、切断具１４（図ではカミソリ刃）により切り開かれて、コードで補強されたゴムシート１５となる。これらの円筒コンベア１と回転アーム８等からなるコードで補強されたゴムシートの製造装置を、コードで補強されたゴムシート形成装置１７とする。なお、図１で、反対側より別のゴム被覆コード１６を供給し、図の回転アーム８と同様な回転アームを、もう１セット設けることにより、円筒コンベア上に多段にゴム被覆コード１０と１６を多段に巻き付けていくことができる。また、図１では、コードで補強されたゴムシート形成装置１７全体は、前後より架台で支持されているが、この支持を前方のみにすることで、生産されたコードで補強されたゴムシートゴム１５の取扱を容易にすることができる。【００２４】  図２は、図１のＡ−Ａ線断面図を示す。円筒コンベア１は、循環しているコンベアベルト２ａ、２ｂ、２ｃ、２ｄ、２ｅ、２ｆ、２ｇ、２ｈの８本により円筒（多角柱であるが、本発明ではこのような形態も円筒に含める）を形成し、断面が円（断点を有する多角形であるが、本発明ではこのような形態も円に含める）であることを示す。循環ベルト２ａは、循環の帰りは２ａ−２、循環ベルト２ｂの循環の帰りは２ｂ−２である。この循環ベルトで構成される円筒コンベア１に、ゴム被覆コードが巻き付けられて、円筒状ゴムシート１２が形成されている。【００２５】  図３は、コードにゴムを被覆するゴム被覆工程とコードで補強されたゴムシート形成装置１７とが連結されている例を装置の側面図で示す。ゴムに対する接着処理が施されているコード２１が、クリールスタンド２２に設置されたボビン２３から繰り出され、ターンローラ２４ａ、２４ｂを経て、ゴム押出機２５のダイ２６へと導かれる。ゴム押出機２５により、未加硫ゴムが押し出され、ダイ２６によりコード���１に未加硫ゴムが被覆され、ゴム被覆コード１０とされる。ゴムの被覆は、通常は、コードを予熱して行うことが多く、ターンローラ２４ａ、２４ｂが加熱されていることにより、予熱されることが好ましい。ゴム被覆コード１０は、張力調整装置２７を経て、円筒コンベア１と回転アーム８からなるゴムシート形成装置１７へと導かれる。図１で示したゴムシート形成装置１７によりゴム被覆コードからなる円筒状ゴムシート１２を形成し、切断具１４で切り開かれて、コードで補強されたゴムシート１５の連続体となり、直接タイヤ成形装置のボディプライ成形ドラム、或いは、ベルト成形ドラムヘ導かれる。【００２６】  図４のＡ図は、ラディアルプライのボディプライ材となる円筒状ゴムシート１２が切り開かれていく状態を示し、この場合におけるコードのゴムシートの長さ方向のとのなす角度は、直角すなわち９０度であり、その製品幅Ｒ＝πＤ（Ｄは、円筒コンベアの径）となる。この場合、円筒コンベアは、コードの巻付け角度を補正する分だけ若干回転させる。Ｂ図は、円筒コンベア自体が回転することにより、切断具１４で円筒状ゴムシート１２が切り開かれて、コードの配列角度αとなるコードで補強されたゴムシート１５の連続体となり状態を示す。Ｃ図に示すように、供給されるゴム被覆コードの幅ｗ、回転アームの回転数をｍ、円筒コンベア１の回転数をｎなどによって定められる。【００２７】  図５は、コード２１の繰出機３１に撚糸機を使用した例を示す。繰出機３１のボビン２３に巻かれたコード２１が、リング３２のトラベラー３３を通り、糸ガイド３７を通じて導かれている。ボビン２３は、駆動軸３４により回転され、それによってトラベラー３３の回転により、コード２１に撚がかかる。即ち、繰出機３１は、コードの流れを逆にすることで、機構的にリング撚糸機であるものを、繰出機として使用し、撚がかけられながらコード２１が、駆動されているターンローラ３５ａ、３５ｂの回転により引き出され、加撚コード３６となる。加撚コード３６は、ゴム被覆工程または直接回転アームへと導かれる。この撚糸機は、スチールコードの場合は、コードの撚方向に対して逆回転して、解撚機として使用し、通常の回転アームで加わる撚と帳消しすることにも使用できる。
【実施例１】
【００２８】  図１、３に示す製造装置を用いて、ゴムで被覆されたコードが直角に配列したシートを連続的に製造した具体例を示す。ゴムとの接着性を得るためのディッピング処理が施された１６７０ｄｔｅｘ／２のポリエスエルコード１本を繰り出し、６０ｍｍφゴム押出機よりダイに押し出された天然ゴムと合成ゴムとのブレンド系の未加硫配合ゴム中を通過させてゴム被覆を行う。ゴム被覆されたコードは、張力調整装置として働くダンサーローラを通過して、回転アームの糸巻付ガイドへと導かれる。回転アームにおける糸巻付ガイドは、直径２０ｍｍφの径で、同軸に回転している。その回転の内側に、８本のコンベアが多角柱になるように配置されて円筒コンベアを構成しており、コードが供給される側から軸方向に走行している。その多角柱の外径は１２４ｍｍであった。この円筒コンベア表面に回転アームを用いて連続的にゴム被覆コードが巻き付けられ、引き続き押圧されることにより、円筒コンベア上に円筒状に形成されたコードで補強されたゴムシートは、円筒コンベアを出た所で、切断具（カミソリ刃）で直角に切り出すことにより、幅３９０ｍｍのシートを連続して得ることができ、シートの長手方向に対してコードが角度９０度に配列したシートとなった（図４のＡ図参照）。この直角にコードが配列したゴムシートは、自動車用ボディプライ材として、タイヤ成型機において使用される。
【実施例２】
【００２９】  図１、３に示す装置を使用して、スチールコードによる自動車用ベルト材の製造の例を示す。ゴムとの接着性を得るためにメッキ処理された０．２５ｍｍφの素線を撚り合わせた２×２×０．２５スチールコードを、解撚機を通し、回転アームの回転で加わる撚りと反対方向に解撚して、繰り出した。そのコードを、６０ｍｍφゴム押出機よりダイに押し出された天然ゴムと合成ゴムとのブレンド系の未加硫配合ゴム中を通過させてゴム被覆を行い、実施例１と同様、回転アームの糸巻付ガイド、押圧具へと導かれる。その回転アームの回転の内側の円筒コンベアは、やはり８本のコンベアが多角柱になるように配置されており、その多角柱の外径は１０２ｍｍであった。この円筒コンベア表面に回転アームを用いて連続的にゴム被覆コードを巻き付けられることにより、円筒コンベア上に円筒状に形成されたコードで補強されたゴムシートは、円筒コンベアを出た所で、上下刃で押し切る切断具で切り出すことにより、幅１６０ｍｍ、シートの長手方向に対してコードが角度３０度としたシートを連続して得ることができた（図４のＢ図参照）。この補強用ゴムシートは、コードが解撚機で撚が戻されているので、このシートにはカール等の歪みは無かった。この斜めにコードが配列したシートは、自動車用ベルト材として、タイヤ成型機において使用される。
【産業上の利用可能性】
【００３０】  本発明のコードで補強されたゴムシートは、タイヤのボディプライ用シートやベルト用シート等に用いられるが、空気バネ、ダイヤフラム、ベルトコンベア、フレキシブルコンテナなど他の産業用機械等における強度を要求されるゴムシートの分野においても使用される。
【図面の簡単な説明】
【００３１】
【図１】  本発明のコードで補強されたゴ厶シート形成装置の断面図。
【図２】  図１のＡ−Ａ面での断面図。
【図３】  本発明のコードで補強されたゴムシートの製造プロセスで、繰出、ゴム被覆、ゴムシート形成装置が結びつけられた例で、側面図で示す。
【図４】  本発明のゴム被覆コードからなる円筒状シートを切り開いて、コードで補強されたゴムシートを製造する際の切り開き方法によるコードの配列状態を示す。
【図５】  本発明の撚糸機を利用した繰出機の例を示す側面図。
【符号の説明】
【００３２】１：円筒コンベア、  ２ａ、２ｂ：コンベアベルト、  ３：ギア、
４：シャフト、  ５：フランジ、  ６ａ，６ｂ：べベルギア、
７：ギア、  ８：回転アーム、  ９：ギア、    １０：ゴム被覆コード、
１１：糸巻付ガイド、  １２：円筒状ゴムシート、  １３：押圧具、
１４：切断具、  １５：コードで補強されたゴムシート、
１６：ゴム被覆コード、  １７：コードで補強されたゴ厶形成装置。
２１：コード、  ２２：クリールスタンド、  ２３：ボビン、
２４ａ、２４ｂ：ターンローラ、  ２５：ゴム押出機、  ２６：ダイ、
２７：張力調整装置。
３１：繰出機、  ３２：リング、  ３３：トラベラー、  ３４：駆動軸、
３５ａ、３５ｂ：ターンローラ、  ３６：加撚コード、  ３７：糸ガイド。
【図１】
2005111962.tif 000003
【図２】
2005111962.tif 000004
【図３】
2005111962.tif 000005
【図４】
2005111962.tif 000006
【図５】
2005111962.tif 000007